(57)【要約】【課題】管理端末から複数の管理対象装置にデータを送信する処理時間を短縮する。【解決手段】管理用端末は、管理対象装置へデータを送信するデータ送信部と、前記データの種類に対応する排他情報を特定する排他情報特定部と、前記排他情報特定部で特定された前記排他情報が付加され、前記管理対象装置を検索する装置検索要求をすべての前記管理対象装置へ送信する検索要求送信部と、前記装置検索要求に対する応答を受信する検索応答受信部と、前記応答に基づいて、検索された前記管理対象装置を表示する検索結果表示部と、前記検索結果表示部に表示された前記管理対象装置の中から前記データを送信する前記管理対象装置を選択する選択部とを備え、前記検索結果表示部に前記排他情報の設定の成否結果とともに表示された前記管理対象装置の中から前記選択部により選択された前記管理対象装置に前記データを送信する。【選択図】        図１
2014063433.tif 000002
【特許請求の範囲】
【請求項１】
管理用端末と複数の管理対象装置とが通信可能に接続された情報処理システムにおいて、
前記管理用端末は、
前記管理対象装置へ送信するデータの種類と、前記データの種類に応じて前記管理対象装置が前記データの処理の可否を定めた排他情報とを対応させて記憶する排他情報記憶部と、
前記管理対象装置へ前記データを送信するデータ送信部と、
前記データの種類に対応する前記排他情報を特定する排他情報特定部と、
前記排他情報特定部で特定された前記排他情報が付加され、前記管理対象装置を検索する装置検索要求をすべての前記管理対象装置へ送信する検索要求送信部と、
前記装置検索要求に対する応答を受信する検索応答受信部と、
前記応答に基づいて、検索された前記管理対象装置を表示する検索結果表示部と、
前記検索結果表示部に表示された前記管理対象装置の中から前記データを送信する前記管理対象装置を選択する選択部とを備え、
それぞれの前記管理対象装置は、
前記管理端末から送信された前記装置検索要求および前記データを受信する受信部と、
前記装置検索要求に付加された排他情報を設定する排他情報設定部と、
前記受信部が受信した前記装置検索要求に対し、前記排他情報設定部での前記排他情報の設定成否結果を含む応答を前記管理端末に送信する検索応答送信部と、
前記排他情報設定部に設定された前記排他情報に従って前記受信部が受信した前記データの処理の可否を判別する排他制御部と、
前記排他制御部の判別結果に基づいて前記管理端末から受信した前記データの処理を行うデータ処理部とを備え、
前記管理端末は、前記検索結果表示部に前記排他情報の設定の成否結果とともに表示された前記管理対象装置の中から前記選択部により選択された前記管理対象装置に前記データを送信することを特徴とする情報処理システム。
【請求項２】
請求項１に記載の情報処理システムにおいて、
前記装置検索要求は、ブロードキャストパケットであることを特徴とする情報処理システム。
【請求項３】
請求項１または請求項２に記載の情報処理システムにおいて、
前記選択部は、前記排他情報設定に成功した前記管理対象装置を選択可能にしたことを特徴とする情報処理システム。
【請求項４】
請求項１から請求項３のいずれか１項に記載の情報処理システムにおいて、
前記管理対象装置に、
前記排他情報設定部による前記排他情報設定に失敗した前記管理用端末の情報を記憶する端末情報記憶部と、
装置の状態を監視する状態監視部とを、さらに備え、
前記状態監視部が、装置が排他情報設定可能な状態になったことを検知した場合、前記端末情報記憶部に格納されている前記管理用端末宛に排他情報設定可能な状態になった旨の通知を行うことを特徴とする情報処理システム。
【請求項５】
データの種類に応じて前記データの処理の可否を定めた排他情報の設定が可能な情報処理装置であって、
ネットワークに接続された管理端末から送信された装置検索要求および前記データを受信する受信部と、
前記装置検索要求に付加された排他情報を設定する排他情報設定部と、
前記受信部が受信した前記装置検索要求に対する応答を前記管理端末に送信する検索応答送信部と、
前記排他情報設定部に設定された前記排他情報に従って前記受信部が受信した前記データの処理の可否を判別する排他制御部と、
前記排他制御部の判別結果に基づいて前記管理端末から受信した前記データの処理を行うデータ処理部とを備え、
前記検索応答送信部は、前記排他情報設定部での前記排他情報の設定成否結果を含む応答を前記管理端末に送信することを特徴とする情報処理装置。
【請求項６】
請求項５に記載の情報処理装置において、
前記排他情報設定部による前記排他情報設定に失敗した前記管理用端末の情報を記憶する端末情報記憶部と、
装置の状態を監視する状態監視部とを、さらに備え、
前記状態監視部が、装置が排他情報設定可能な状態になったことを検知した場合、前記端末情報記憶部に格納されている前記管理用端末宛に排他情報設定可能な状態になった旨の通知を行うことを特徴とする情報処理装置。
【発明の詳細な説明】
【技術分野】
【０００１】
本発明は、複数の管理対象装置としての情報処理装置と、その情報処理装置に設定を行う管理用端末とがネットワークに接続された情報処理システムおよび情報処理装置に関する。
【背景技術】
【０００２】
従来の情報処理システムは、複数の管理用端末から管理対象装置に対してリモート保守を行う場合、管理用端末から管理対象装置へ送信されるデータの競合を防止するため、管理対象装置に対して複数のレベルの占有権を設定可能とし、占有権が設定された管理対象装置はその占有権のレベルで許可されたデータのみを受け付けるようにし、管理用端末から管理対象装置にデータを送信する際に、管理用端末から管理対象装置に占有権の設定要求を送信して適切なレベルの占有権を予め設定しておき、他の管理用端末から送信される競合データの受付けを排除した後、管理用端末から管理対象装置にデータの送信を行うようにしている（例えば、特許文献１参照）。
【先行技術文献】
【特許文献】
【０００３】
【特許文献１】特開２００２−１４９５１５号公報
【発明の概要】
【発明が解決しようとする課題】
【０００４】
しかしながら、従来の技術では、管理用端末から複数の管理対象装置にデータを送信する場合、それぞれの管理対象装置に対して占有権を設定した後、データを送信する必要があるため、管理端末から複数の管理対象装置にデータを送信する処理に多大な時間を必要とするという問題がある。
本発明は、このような問題を解決することを課題とし、管理端末から複数の管理対象装置にデータを送信する処理時間を短縮することを目的とする。
【課題を解決するための手段】
【０００５】
そのため、本発明は、管理用端末と複数の管理対象装置とが通信可能に接続された情報処理システムにおいて、前記管理用端末は、前記管理対象装置へ送信するデータの種類と、前記データの種類に応じて前記管理対象装置が前記データの処理の可否を定めた排他情報とを対応させて記憶する排他情報記憶部と、前記管理対象装置へ前記データを送信するデータ送信部と、前記データの種類に対応する前記排他情報を特定する排他情報特定部と、前記排他情報特定部で特定された前記排他情報が付加され、前記管理対象装置を検索する装置検索要求をすべての前記管理対象装置へ送信する検索要求送信部と、前記装置検索要求に対する応答を受信する検索応答受信部と、前記応答に基づいて、検索された前記管理対象装置を表示する検索結果表示部と、前記検索結果表示部に表示された前記管理対象装置の中から前記データを送信する前記管理対象装置を選択する選択部とを備え、それぞれの前記管理対象装置は、前記管理端末から送信された前記装置検索要求および前記データを受信する受信部と、前記装置検索要求に付加された排他情報を設定する排他情報設定部と、前記受信部が受信した前記装置検索要求に対し、前記排他情報設定部での前記排他情報の設定成否結果を含む応答を前記管理端末に送信する検索応答送信部と、前記排他情報設定部に設定された前記排他情報に従って前記受信部が受信した前記データの処理の可否を判別する排他制御部と、前記排他制御部の判別結果に基づいて前記管理端末から受信した前記データの処理を行うデータ処理部とを備え、前記管理端末は、前記検索結果表示部に前記排他情報の設定の成否結果とともに表示された前記管理対象装置の中から前記選択部により選択された前記管理対象装置に前記データを送信することを特徴とする。
【発明の効果】
【０００６】
このようにした本発明は、管理端末から複数の管理対象装置にデータを送信する処理時間を短縮することができるという効果が得られる。
【図面の簡単な説明】
【０００７】
【図１】第１の実施例における情報処理システムの構成を示す説明図
【図２】第１の実施例におけるＰＣの構成を示すブロック図
【図３】第１の実施例における各設定、更新と排他レベルの対応の説明図
【図４】第１の実施例における検索パケットのデータフォーマットの説明図
【図５】第１の実施例におけるプリンタの構成を示すブロック図
【図６】第１の実施例における排他レベル別の各コマンド、データの許可・禁止の説明図
【図７】第１の実施例における管理用端末の処理の流れを示すフローチャート
【図８】第１の実施例におけるネットワーク設定操作画面の説明図
【図９】第１の実施例における印刷設定操作画面の説明図
【図１０】第１の実施例におけるＭＰＳ設定操作画面の説明図
【図１１】第１の実施例におけるＦＷ更新操作画面の説明図
【図１２】第１の実施例における受信データ処理の流れを示すフローチャート
【図１３】第１の実施例における排他レベル設定処理の流れを示すフローチャート
【図１４】第２の実施例におけるプリンタの構成を示すブロック図
【図１５】第２の実施例における受信データ処理の流れを示すフローチャート
【図１６】第２の実施例における排他レベル設定処理の流れを示すフローチャート
【図１７】第２の実施例におけるビジー復帰検出後の排他レベル設定可能通知処理の流れを示すフローチャート
【発明を実施するための形態】
【０００８】
以下、図面を参照して本発明による情報処理システムおよび情報処理装置の実施例を説明する。
【実施例１】
【０００９】
図１は、第１の実施例における情報処理システムの構成を示す説明図である。図１における情報処理システムは、ネットワーク１００を介して、複数の管理用端末としてのＰＣ（Ｐｅｒｓｏｎａｌ  Ｃｏｍｐｕｔｅｒ）１０１（１０１ａ、１０１ｂ、１０１ｃ等）、および複数の管理対象装置（情報処理装置）としてのプリンタ１０２（１０２ａ、１０２ｂ、１０２ｃ等）が相互に通信可能に接続されている。
【００１０】
図２は、第１の実施例におけるＰＣの構成を示すブロック図である。
ＰＣ１０１は、プリンタ１０２のリモート保守を行うものであり、排他レベルデータ記憶部２０１と、データ送信指定部２０２と、排他レベル特定部２０３と、検索パケット送信部２０４と、検索レスポンス受信部２０５と、検索結果記憶部２０６と、検索結果表示部２０７と、装置選択部２０８と、データ送信部２０９と、排他レベル設定要求部２１０とから構成されている。
また、ＰＣ１０１におけるネットワークインタフェース部２００は、検索パケット送信部２０４、検索レスポンス受信部２０５、データ送信部２０９、排他レベル設定要求部２１０とで構成され、ネットワーク１００に繋がったプリンタ１０２との間でデータの送受信を行う。
【００１１】
排他情報記憶部としての排他レベルデータ記憶部２０１は、プリンタ１０２へ送信するデータの種類と、そのデータの種類に応じてプリンタ１０２がデータの処理の可否を定めた排他情報としての排他レベルとを対応させて記憶するものであり、プリンタ１０２に対して設定可能な排他レベルと、データ送信の指定内容との対応関係を記憶する。この排他レベルデータ記憶部２０１は、例えば図３に示すように、ネットワーク設定、印刷設定、ＭＰＳ（Ｍａｎａｇｅｄ  Ｐｒｉｎｔ  Ｓｅｒｖｉｃｅ）設定、ＦＷ（Ｆｉｒｍｗａｒｅ）更新のそれぞれに対応させて排他レベルの値を記憶する。
データ送信指定部２０２は、プリンタ１０２に対して行うデータ送信の種類を指定する。
【００１２】
排他情報特定部としての排他レベル特定部２０３は、排他レベルデータ記憶部２０１を参照して、データ送信指定部２０２で指定されたデータ送信の種類に対応する排他レベルを特定する。
検索要求送信部としての検索パケット送信部２０４は、排他レベル特定部２０３が特定した排他レベル情報を付加し、プリンタ１０２を検索する装置検索要求としての装置検索パケットをブロードキャスト（同報通信）としてネットワーク１００に送信し、ネットワーク１００に接続されたすべてのプリンタ１０２へ送信する。
【００１３】
ここで、検索パケット送信部２０４によりネットワーク１００に送信される検索パケットについて説明する。
図４は第１の実施例における検索パケットのデータフォーマットの説明図である。
図４において、ＤｅｓｔｉｎａｔｉｏｎＡｄｄｒは、宛先アドレスを表し、装置検索時にはブロードキャストアドレス０ｘＦＦＦＦＦＦＦＦを格納する。
ＳｏｕｒｃｅＡｄｄｒは、送信元アドレスを表し、ＰＣ１０１のＭＡＣ（Ｍｅｄｉａ  Ａｃｃｅｓｓ  Ｃｏｎｔｒｏｌ）アドレスを格納し、ＥｔｈｅｒＴｙｐｅには、装置検索時には０ｘ８８６３という値を格納する。
【００１４】
また、Ｐａｙｌｏａｄ部分には、（ｔｙｐｅ、ｌｅｎｇｔｈ、ｖａｌｕｅ）の３項組で表されるタグ形式データを複数セット格納する。ｔｙｐｅはタグ形式データの種類を表し、ｌｅｎｇｔｈはタグ形式データのデータ長、ｖａｌｕｅはタグ形式データのデータ自体である。検索パケットは、ｔｙｐｅ＝０ｘ０１０１０（Ｓｅｒｖｉｃｅ＿Ｎａｍｅ）のタグ形式データを必ず含む必要がある。
さらに、検索パケット送信部２０４は、排他レベル情報を含めるための新たなｔｙｐｅのタグ形式データを定義して、ｐａｙｌｏａｄ部分に格納する。
Ｃｈｅｃｋｓｕｍは、パケットデータの誤り検出のために付加されるデータである。
このように、検索パケットは、ブロードキャストパケットとしてＤｅｓｔｉｎａｔｉｏｎＡｄｄｒ、ＳｏｕｒｃｅＡｄｄｒ、ＥｔｈｅｒＴｙｐｅ、Ｐａｙｌｏａｄ、およびＣｈｅｃｋｓｕｍにより構成されている。
【００１５】
図２の説明に戻り、検索応答受信部としての検索レスポンス受信部２０５は、装置検索パケットに対する応答としてのレスポンスを受信・解析し、検索されたプリンタ１０２の装置情報およびその他の情報を取得し、検索結果記憶部２０６に格納する。
検索結果記憶部２０６は、検索レスポンス受信部２０５が取得した検索結果を格納する。
検索結果表示部２０７は、装置検索パケットに対する応答に基づいて、検索されたプリンタ１０２を表示するものであり、検索結果記憶部２０６に記憶されている検索結果を参照し、検索されたプリンタ１０２の一覧を表示する。また、検索結果表示部２０７は、ＰＣ１０１のディスプレイであり操作画面としても機能する。
【００１６】
選択部としての装置選択部２０８は、検索結果表示部２０７に表示されたプリンタ１０２の中からデータを送信するプリンタ１０２を選択するものであり、データ送信の対象とする装置を、検索されたプリンタ１０２（１０２ａ、１０２ｂ、１０２ｃ等）の中から選択する。
データ送信部２０９は、装置選択部２０８で選択されたプリンタ１０２に対してデータの送信を行う。
排他レベル設定要求部２１０は、排他レベルの設定要求を、指定した宛先のプリンタ１０２に対して送信する。
このように構成されたＰＣ１０１は、ＣＰＵ（Ｃｅｎｔｒａｌ  Ｐｒｏｃｅｓｓｉｎｇ  Ｕｎｉｔ）等で構成された制御部およびメモリ等で構成された記憶部を備え、制御部が記憶部に記憶された制御プログラム（ソフトウェア）に基づいて装置全体の動作を制御する。
【００１７】
図５は、第１の実施例におけるプリンタの構成を示すブロック図である。
管理対象装置および情報処理装置としてのプリンタ１０２は、排他レベル定義記憶部３０１と、受信部３０２と、検索パケット解析部３０３と、排他レベル設定部３０４と、排他レベル情報記憶部３０５と、検索レスポンス送信部３０６と、排他制御部３０７と、データ処理部３０８と、印刷部３０９とから構成されている。
また、プリンタ１０２におけるネットワークインタフェース部３２０は、受信部３０２と、検索レスポンス送信部３０６とで構成され、ネットワーク１００に繋がったＰＣ１０１との間でデータの送受信を行う。
【００１８】
排他レベル定義記憶部３０１は、プリンタ１０２に対して設定可能な排他レベルと、各排他レベルで処理可能なデータの種類との対応関係を記憶する。排他レベル定義記憶部３０１は、例えば図６に示すように、設定可能な排他レベルと、各排他レベルで処理可能なデータの種類との対応関係を表す定義情報を記憶する。
受信部３０２は、ＰＣ１０１から送信された装置検索パケット、排他レベル設定要求、およびその他の送信データを受信する。
検索パケット解析部３０３は、受信した装置検索パケットに付加されている排他レベル情報を判定する。
【００１９】
排他情報設定部としての排他レベル設定部３０４は、受信した装置検索パケットに付加され、指定された排他レベル、または受信した排他レベル設定要求で指定された排他レベルに関する情報を排他レベル情報記憶装置３０５に格納して設定する。なお、既に排他レベル情報が格納されている場合は、排他レベルが設定済みであるとして格納処理は行わない。
排他レベル情報記憶部３０５は、プリンタ１０２に設定されている排他レベルに関する情報として、排他レベルのレベル値と、排他レベルの設定を要求する装置検索パケットまたは排他レベル設定要求を送信してきたＰＣ１０１のＩＰ（Ｉｎｔｅｒｎｅｔ  Ｐｒｏｔｏｃｏｌ）アドレスとを格納する。排他レベル情報記憶部３０５に排他レベルに関する情報が記憶されていない場合は、プリンタ１０２に排他レベルが設定されていないことを示す。
【００２０】
検索応答送信部としての検索レスポンス送信部３０６は、受信部３０２が受信した装置検索パケットに対し、排他レベル設定部３０４での排他レベルの設定の成否結果を含む検索レスポンスをＰＣ１０１に送信する。
排他制御部３０７は、排他レベル設定部３０４に設定された排他レベルに従って受信部３０２が受信したデータの処理の可否を判別するものである。この排他制御部３０７は、受信部３０２が受信したデータについて、排他レベル情報記憶部３０５に記憶されている排他レベルで受信が許可されているか否かを判定し、許可されていると判定した場合は受信部３０２が受信したデータをデータ処理部３０８に渡す。
【００２１】
データ処理部３０８は、排他制御部３０７の判別結果に基づいてＰＣ１０１から受信したデータの処理を行うものであり、排他制御部３０７から渡されたデータを処理する。渡されたデータが印刷ジョブである場合は、印刷部３０９に渡す。
印刷部３０９は、データ処理部３０８から渡された印刷ジョブを処理して印刷を実行する。
このように構成されたプリンタ１０２は、ＣＰＵ等で構成された制御部およびメモリ等で構成された記憶部を備え、制御部が記憶部に記憶された制御プログラム（ソフトウェア）に基づいて装置全体の動作を制御する。
【００２２】
ここで、排他レベルの詳細について説明する。
排他レベルとは、上述したようにプリンタ１０２に送信するデータの種類に応じてプリンタ１０２がそのデータの処理の可否を定めたものであり、データの種類に対応させて複数段階のレベルで表したものである。
図６は、第１の実施例における排他レベル別の各コマンド、データの許可・禁止の説明図である。図６における印刷ジョブ、ネットワーク設定、印刷設定、ＭＰＳ設定、ＦＷ更新、のそれぞれの送信データに対して、以下の内容を定義している。
【００２３】
印刷ジョブは、ＰＣ１０１から送信される印刷ジョブデータであり、プリンタ１０２の排他レベルが「０」、つまり排他レベルが未設定の場合、どのＰＣからも送信が可能である。プリンタ１０２は、排他レベルが「０」以外に設定されている場合、印刷ジョブを処理しない。
ネットワーク設定の変更コマンドは、例えばプリンタ１０２に設定されているネットワークのゲートウェイアドレスやＤＮＳ（Ｄｏｍａｉｎ  Ｎａｍｅ  Ｓｙｓｔｅｍ）サーバのアドレス等を変更するコマンドであり、プリンタ１０２を排他レベル「１」に設定したＰＣのみが送信可能である。「１」以外の排他レベルに設定されている場合、プリンタ１０２はネットワーク設定の変更コマンドの処理は行わない。
【００２４】
ネットワーク設定の参照コマンドは、例えばプリンタ１０２に設定されているネットワークのゲートウェイアドレスやＤＮＳサーバのアドレス等の現在の設定を参照するコマンドであり、プリンタ１０２を排他レベル「１」に設定したＰＣが送信可能である。それ以外のＰＣでも、プリンタ１０２が排他レベル「０」，「２」，「３」のいずれかに設定されている場合は送信可能である。
印刷設定の変更コマンドは、例えばプリンタ１０２のトナーセーブ機能や両面印刷機能等の設定を変更するコマンドであり、プリンタ１０２を排他レベル「２」に設定したＰＣのみが送信可能である。「２」以外の排他レベルに設定されている場合、プリンタ１０２は印刷設定の変更コマンドの処理を行わない。
【００２５】
印刷設定の参照コマンドは、例えばプリンタ１０２のトナーセーブ機能や両面印刷機能等の現在の設定を参照するコマンドであり、プリンタ１０２を排他レベル「２」に設定したＰＣが送信可能である。それ以外のＰＣでも、プリンタ１０２が排他レベル「０」、「１」のいずれかに設定されている場合は送信可能である。
ＭＰＳ設定コマンドは、例えばプリンタ１０２に課金額をリセットする等のコマンドであり、プリンタ１０２を排他レベル「３」に設定したＰＣのみが送信可能である。「３」以外の排他レベルに設定されている場合、プリンタ１０２はＭＰＳ設定コマンドの処理を行わない。
【００２６】
ＦＷ更新のためのデータは、プリンタ１０２のファームウェアを更新するために送信するデータであり、プリンタ１０２を排他レベル「４」に設定したＰＣのみが送信可能である。「４」以外の排他レベルに設定されている場合、プリンタ１０２はＦＷ更新のためのデータの処理を行わない。
上述した構成の作用について説明する。
ＰＣ１０１が行う管理用端末としての処理を図７の第１の実施例における管理用端末の処理の流れを示すフローチャートの図中Ｓで表すステップにしたがって図２を参照しながら説明する。
【００２７】
Ｓ１０１：データ送信指定部２０２は、ネットワーク設定を行うためのデータ送信を指示する。
Ｓ１０２：排他レベル特定部２０３は、Ｓ１０１で指示されたデータ送信に対応する排他レベルを特定する。排他レベルの特定は、排他レベルデータ記憶部２０１を参照して行う。データ送信カテゴリ“ネットワーク設定”の排他レベル１を特定する。
【００２８】
Ｓ１０３：操作画面の[装置検索]を押下すると、検索パケット送信部２０４は、ネットワーク１００に対して検索パケットを送信する。検索パケット送信部２０４は、送信する検索パケットにＳ１０２で特定された排他レベルを示す情報「排他レベル１」を付加して送信する。なお、後述するように、この検索パケットを受信したプリンタ１０２は、排他レベルを、検索パケットに含まれる排他レベル情報が示す排他レベルに設定する処理を行い、設定に成功したか否かを示す情報を付加した検索レスポンスを返す。
【００２９】
Ｓ１０４：検索レスポンス受信部２０５は、所定時間において、ネットワーク１００内のプリンタ１０２から送信される検索レスポンスを受信し、受信した検索レスポンスを解析し、検索されたプリンタ１０２のそれぞれについて装置情報その他の情報を取得し、検索結果記憶部２０６に格納する。取得する装置情報は、装置名、装置のＩＰアドレスなどであり、その他の情報は、排他レベルの設定に成功したか否かを示す情報である。
Ｓ１０５：検索結果表示部２０７は、検索結果記憶部２０６を参照し、Ｓ１０４において検索されたプリンタ１０２を、例えば図８に示すように、検索結果として表示する。
【００３０】
図８は、第１の実施例におけるネットワーク設定操作画面の説明図であり、ＰＣ１０１がプリンタ１０２のネットワーク設定を行う保守のための管理用端末として動作する場合の操作画面である。検索結果の表示は、Ｓ１０４でその他の情報として取得した、排他レベルの設定に成功したか否かも識別可能に表示する。図８は、検索されたプリンタ１０２の装置情報として[プリンタ名]と[ＩＰアドレス]を表示し、[排他レベル]カラムに、ネットワーク設定に必要な排他レベル１に設定されたか否かを表示する。同カラムの表示は、“１”になっているものは排他レベル１に設定が成功したことを表し、“＊”が表示されているＰＲＮ−００３とＰＲＮ−００５は、排他レベル１への設定が失敗したことを表す。
【００３１】
Ｓ１０６：装置検索の結果が満足するものである（検索結果ＯＫ）と操作者に判断された場合は、そのまま処理をＳ１０７へ移行するが、排他レベルの設定に失敗しているプリンタ１０２が存在するなどの理由で、プリンタ１０２の検索結果が満足するものではないと操作者に判断され、操作画面の[装置検索]が再度押下された場合は、処理をＳ１０３へ移行する。
Ｓ１０７：ここで、必要に応じて、現在のネットワーク設定値の取得、確認を行うことができるようになっている。装置検索によって表示された一覧の中から１つのプリンタ１０２が選択され、[現在値取得]が押下されると、ＰＣ１０１は、ネットワーク設定の参照コマンドを送信し、選択された装置の現在のゲートウェイアドレスとＤＮＳサーバアドレスの設定を取得して、操作画面の[ゲートウェイ]、[ＤＮＳサーバ]にそれぞれ表示し、[ＩＰアドレス]には、装置一覧から選択された装置のＩＰアドレスを表示する。
【００３２】
Ｓ１０８：ＰＣ１０１は、ネットワーク設定の変更値の指定を受け付ける。図８に示すようなＰＣ１０１の操作画面上の[ＩＰアドレス]は、プリンタ１０２の現在のＩＰアドレスの表示欄であり、設定の変更値の指定はできないが、[ゲートウェイ]、[ＤＮＳサーバ]にそれぞれ、ゲートウェイアドレスとＤＮＳサーバアドレスの新しい設定値の指定の入力を操作画面で受け付ける。
Ｓ１０９：ＰＣ１０１の操作画面において、複数のプリンタ１０２を選択する所定の入力操作（例えば、キーボードのＳｈｉｆｔキーを押下しながら複数の項目を選択する等）により、装置一覧の中から複数のプリンタ１０２（例えば、排他レベルの設定に成功したプリンタ１０２）が選択されると、装置選択部２０８は、新しいネットワーク設定値の適用対象とするプリンタ１０２を選択（送信対象選択）する。
【００３３】
Ｓ１１０：操作画面の[設定変更]が押下されると、データ送信部２０９は、Ｓ１０８で指定された新しいネットワーク設定値を設定するためのネットワーク設定の変更コマンドをＳ１０９で選択されたプリンタ１０２のそれぞれに対して送信を実行する。
Ｓ１１１：操作画面の[終了]を押下（終了指示）されると、排他レベル設定要求部２１０は、Ｓ１０３での検索パケット送信により排他レベル１に設定されているプリンタ１０２のそれぞれに対して、排他レベル０の排他レベル設定要求を送信し、本処理を終了する。
【００３４】
このようにＰＣ１０１は、検索結果表示部２０７に排他レベルの設定の成否結果とともに表示されたプリンタ１０２の中から装置選択部２０８により選択されたプリンタ１０２にネットワーク設定の変更コマンド（データ）を送信する。
図９は、第１の実施例における印刷設定操作画面の説明図であり、ＰＣ１０１が、プリンタ１０２の印刷設定を行う管理用端末として動作する場合の操作画面の一例である。
【００３５】
この場合も図７に示す処理に従い、データ送信指示部２０３が印刷設定のデータ送信を指示し（Ｓ１０１）、排他レベル特定部２０３が排他レベル２を特定し(Ｓ１０２)、[装置検索]押下により排他レベル２への設定を指示する検索パケットを送信し（Ｓ１０３）、検索レスポンス受信部２０５が検索レスポンスを受信して（Ｓ１０４）、検索結果表示部２０７がプリンタ１０２の検索結果を表示し（Ｓ１０５）、装置検索の結果がＯＫであれば（Ｓ１０６）、必要に応じて[両面印刷有効]、[トナーセーブ有効]の現在の設定を各プリンタ１０２に対し、印刷設定の確認コマンドを送信して確認し（Ｓ１０７）、[両面印刷有効]、[トナーセーブ有効]の新しい設定値を指定し（Ｓ１０８）、装置検索結果一覧の中から対象装置を選択し（Ｓ１０９）、[設定変更]押下により新しい設定値を適用する印刷設定の変更コマンドを対象装置として選択されたプリンタ１０２のそれぞれに送信し（Ｓ１１０）、[終了]押下により排他レベルを０に設定して排他レベルの設定を解除する指示を各プリンタ１０２に送信する（Ｓ１１１）。
【００３６】
図１０は、第１の実施例におけるＭＰＳ設定操作画面の説明図であり、ＰＣ１０１が、プリンタ１０２のＭＰＳ設定を行う管理用端末として動作する場合の操作画面の一例である。この場合も、Ｓ１０７およびＳ１０８をスキップする点を除き、図７に示す処理に従う。データ送信指示部２０３がＭＰＳ設定のデータ送信を指示し（Ｓ１０１）、排他レベル特定部２０３が排他レベル３を特定し(Ｓ１０２)、[装置検索]押下により排他レベル３への設定を指示する検索パケットを送信し（Ｓ１０３）、検索レスポンス受信部２０５が検索レスポンスを受信して（Ｓ１０４）、検索結果表示部２０７がプリンタ１０２の検索結果を表示し（Ｓ１０５）、装置検索の結果がＯＫであれば（Ｓ１０６）、装置検索結果一覧の中から対象装置を選択し（Ｓ１０９）、[課金額リセット]、[ページカウントリセット]を押下して課金額リセットとページカウントリセットを行うＭＰＳ設定のコマンドを対象装置として選択されたプリンタ１０２のそれぞれに送信し（Ｓ１１０）、[終了]押下により排他レベルを０に設定して排他レベルの設定を解除する指示を各プリンタ１０２に送信する（Ｓ１１１）。
【００３７】
図１１は、第１の実施例におけるＦＷ更新操作画面の説明図であり、ＰＣ１０１が、プリンタ１０２のＦＷ更新を行う管理用端末として動作する場合の操作画面の一例である。この場合の動作も、Ｓ１０７をスキップする点を除き、図７に示す処理に従う。データ送信指示部２０３がＦＷ更新のデータ送信を指示し（Ｓ１０１）、排他レベル特定部２０３が排他レベル４を特定し(Ｓ１０２)、[装置検索]押下により排他レベル４への設定を指示する検索パケットを送信し（Ｓ１０３）、検索レスポンス受信部２０５が検索レスポンスを受信して（Ｓ１０４）、検索結果表示部２０７がプリンタ１０２の検索結果を表示し（Ｓ１０５）、装置検索の結果がＯＫであれば（Ｓ１０６）、プリンタ１０２に送信する新しいＦＷオブジェクトファイルを指定し（Ｓ１０８）、装置検索結果一覧の中から対象装置を選択し（Ｓ１０９）、[送信]を押下して対象装置として選択されたプリンタ１０２のそれぞれにＦＷオブジェクトファイル（ＦＷ更新コマンド）を送信し（Ｓ１１０）、[終了]押下により排他レベルを０に設定して排他レベルの設定を解除する指示を各プリンタ１０２に送信する（Ｓ１１１）。
【００３８】
このように、ＰＣ１０１は、排他レベル特定部２０３によって特定された排他レベル情報を付加した装置検索パケットを検索パケット送信部２０４により複数台のプリンタ１０２へ送信し、その応答である検索レスポンスに基づいて検索されたプリンタ１０２の一覧を検索結果表示部２０７で表示し、その一覧の中から複数のプリンタ１０２の選択を受け付け、選択されたプリンタ１０２のそれぞれに対して設定値を設定するためのコマンドをデータ送信部２０９により送信するようにしたため、複数台のプリンタ１０２の検索、設定を効率良く行うことができるようになる。
【００３９】
プリンタ１０２が行う受信データの処理を図１２の第１の実施例における受信データ処理の流れを示すフローチャートの図中Ｓで表すステップにしたがって図５を参照しながら説明する。
Ｓ２０１：受信部３０２は、ネットワーク１００を介してＰＣ１０１からデータを受信する。
Ｓ２０２：受信部３０２は、検索パケットかそれ以外の送信データかを判定し、受信したデータが検索パケットであると判定した場合は処理をＳ２０３へ移行し、それ以外の送信データであると判定した場合は処理をＳ２０６へ移行する。
【００４０】
Ｓ２０３：検索パケット解析部３０３は、Ｓ２０１で受信した検索パケットを解析し、検索パケットの送信元ＩＰアドレスおよびその他の情報を取得する。図７に示すＳ１０３で説明したように、ＰＣ１０１から送信された検索パケットには排他レベルを示す情報が含まれており、検索パケット解析部３０３は検索パケットを解析し、パケットに含まれる排他レベルをその他の情報として取得する。
Ｓ２０４：検索パケット解析部３０３から解析結果を受け取った排他レベル設定部３０４は、Ｓ２０３で検索パケットから取得された排他レベルをプリンタ１０２に設定する排他レベル設定処理を行い、排他レベルの設定に成功したか否かを検索レスポンス送信部３０６に通知する。なお、排他レベル設定処理の詳細は後述する。
【００４１】
Ｓ２０５：検索レスポンス送信部３０６は、Ｓ２０３で検索パケットから取得した送信元ＩＰアドレス宛に検索レスポンスを送信し、本処理を終了する。検索レスポンスには、装置名などの装置情報の他、排他レベル設定部３０４から通知された、排他レベル設定処理の成功または失敗を示す情報を付加する。検索レスポンスのデータフォーマットは、図４と同じであり、新たなｔｙｐｅのタグ形式データを定義して、排他レベル設定処理の成功または失敗を示す情報をｐａｙｌｏａｄ部分に格納する。
Ｓ２０６：一方、Ｓ２０２において、検索パケット以外の送信データと判定した受信部３０２は、送信データが排他レベル設定要求であるか否かを判定する。Ｓ２０１で受信したデータが排他レベル設定要求であると判定した場合は処理をＳ２０７へ移行し、排他レベル設定要求以外であると判定した場合は処理をＳ２０８へ移行する。
【００４２】
Ｓ２０７：送信データが排他レベル設定要求であると判定した排他レベル設定部３０４は、受信した排他レベル設定要求で指定された排他レベルにプリンタ１０２を設定する処理を行い、本処理を終了する。排他レベル０への設定、すなわち排他レベルの設定解除が指示されている場合は、このステップにおいて排他レベルの設定は解除される。具体的には、排他レベル情報記憶部３０５に情報が記憶されていない状態にする。なお、排他レベル設定処理の詳細は後述する。
【００４３】
Ｓ２０８：Ｓ２０１で受信したデータが、検索パケットおよび排他レベル設定要求以外の送信データであると判定した排他制御部３０７は、現在装置に設定されている排他レベルでの処理が許可された送信データであるか否かを、排他レベル定義記憶部３０１を参照して判定し、許可されていると判定した場合は処理をＳ２０９へ移行し、許可されていないと判断した場合は処理を終了する。なお、排他レベル情報記憶部３０５に排他レベルの情報が記憶されていない場合は、すべての種類の送信データの処理が許可されているとし、処理をＳ２０９へ移行する。
Ｓ２０９：データ処理部３０８は、Ｓ２０１で受信したデータの処理を実行する。受信したデータが印刷ジョブである場合は、印刷部３０９に渡して印刷を実行し、本処理を終了する。
【００４４】
次に、図１２のＳ２０４およびＳ２０７で行われる排他レベル設定処理を説明する。
プリンタ１０２の排他レベル設定部３０４は、ＰＣ１０１の検索パケット送信部２０４が送信した装置検索パケットで指定された排他レベル、または、ＰＣ１０１の排他レベル設定要求部２１０が送信した排他レベル設定要求で指定された排他レベルに、装置の排他レベルを設定する処理を行う。
図１２のＳ２０４での処理は、ＰＣ１０１の検索パケット送信部２０４が送信した装置検索パケットで指定された排他レベルに基づいて図１３に示す処理を行う。また、Ｓ２０７での処理は、ＰＣ１０１の排他レベル設定要求部２１０が送信した排他レベル設定要求で指定された排他レベルに基づいて図１３に示す処理を行う。
【００４５】
プリンタ１０２が行う排他レベル設定処理を図１３の第１の実施例における排他レベル設定処理の流れを示すフローチャートの図中Ｓで表すステップにしたがって図２および図５を参照しながら説明する。
Ｓ３０１：排他レベル設定部３０４は、プリンタ１０２の状態がビジーであるか否かを判定する。例えばプリンタ１０２が印刷ジョブを処理中である場合や、紙詰まり等のアラート状態である場合は、排他レベル設定部３０４は、ビジーであると判定する。排他レベル設定部３０４は、ビジーでないと判定した場合、処理をＳ３０２へ移行し、ビジーであると判定した場合は、処理をＳ３０６へ移行する。
【００４６】
Ｓ３０２：装置状態がビジーでないと判定した排他レベル設定部３０４は、排他レベル情報記憶部３０５に排他レベルの情報が記憶されていない状態（空）と判断した場合は処理をＳ３０３へ移行し、排他レベルの情報が記憶されている状態と判断した場合は処理をＳ３０５へ移行する。
Ｓ３０３：排他レベル設定部３０４は、指定された排他レベルのレベル値と、排他レベル設定要求の送信元ＩＰアドレスとを、排他レベル情報記憶部３０５に格納する。排他レベル設定部３０４は、指定された排他レベルのレベル値が０、すなわち排他レベルの設定解除が要求されている場合は、排他レベル情報記憶部３０５に排他レベルの情報が記憶されていない状態にする。
【００４７】
Ｓ３０４：排他レベル設定部３０４は、排他レベルの設定に成功したことを検索レスポンス送信部３０６に通知し、本処理を終了する。
Ｓ３０５：排他レベル情報記憶部３０５に排他レベルの情報が記憶されている状態と判断した排他レベル設定部３０４は、排他レベル設定要求の送信元ＩＰアドレスが、排他レベル情報記憶部３０５に格納されている送信元ＩＰアドレスと等しくないか判定をする。排他レベル設定部３０４は、排他レベル設定要求の送信元ＩＰアドレスが、排他レベル情報記憶部３０５に格納されている送信元ＩＰアドレスと等しいと判断した場合は処理をＳ３０３へ移行し、等しくないと判断した場合は処理をＳ３０６移行する。
【００４８】
Ｓ３０６：排他レベル設定部３０４は、装置状態がビジーであると判定した場合や、排他レベル設定要求の送信元ＩＰアドレスが、排他レベル情報記憶部３０５に格納されている送信元ＩＰアドレスと等しくないと判定した場合、排他レベルの設定に失敗したことを検索レスポンス送信部３０６に通知し、本処理を終了する。
このように、ＰＣ１０１は、排他レベル情報が付加された装置検索パケットをプリンタ１０２に送信し、その装置検索パケットに対する応答に基づいて検索したプリンタ１０２を表示し、排他レベル情報の設定が成功したプリンタ１０２の中から選択されたそれぞれのプリンタ１０２にデータを送信するようにしたことにより、ＰＣ１０１から複数のプリンタ１０２にデータを送信する処理時間を短縮することができる。
【００４９】
また、ＰＣ１０１は、複数のプリンタ１０２を対象にリモート保守を行う場合、他のＰＣからのデータ送信の影響を排除するための排他レベルの設定を、装置検索パケットを用いてプリンタ１０２の検索実行時に一斉に行うので、複数台のプリンタ１０２のリモート保守を効率良く行うことができる。
以上説明したように、第１実施例では、管理端末としてのＰＣは、排他レベル情報が付加された装置検索パケットをプリンタに送信し、その装置検索パケットに対する応答に基づいて検索したプリンタを表示し、排他レベル情報の設定が成功したプリンタの中から選択されたそれぞれのプリンタにデータを送信するようにしたことにより、ＰＣから複数のプリンタにデータを送信する処理時間を短縮することができるという効果が得られる。
【００５０】
また、ＰＣは、複数のプリンタを対象にリモート保守を行う場合、他のＰＣからのデータ送信の影響を排除するための事前の排他レベルの設定を、装置検索パケットを用いてプリンタの検索実行時に一斉に行うので、ネットワークに接続された複数台のプリンタのリモート保守を効率良く行うことができるという効果が得られる。
【実施例２】
【００５１】
図１４は第２の実施例におけるプリンタの構成を示すブロック図である。図１４に示す第２の実施例におけるプリンタの構成は、図５に示す第１の実施例におけるプリンタの構成を示すブロック図と比較すると、端末情報記憶部３１０と、通知送信部３１１、装置状態監視部３１２が新たに追加されている。なお、上述した第１の実施例と同様の部分は、同一の符号を付してその説明を省略する。
端末情報記憶部３１０は、排他レベル設定部３０４による排他レベルの設定に失敗した装置検索パケットの送信元であるＰＣ１０１の情報を記憶する。
【００５２】
通知送信部３１１は、排他レベルが０に設定された場合に、端末情報記憶部３１０に記憶されている端末宛に、排他レベルの設定が可能になったことの通知を送信する。
状態監視部としての装置状態監視部３１２は、プリンタ１０３の状態を監視するものであり、プリンタ１０３のビジー状態が解除されたか否かを監視する。この装置状態監視部３１２は、プリンタ１０３が排他レベルを設定可能な状態になったことを検知した場合、端末情報記憶部３１０に格納されているＰＣ１０１宛に排他レベルの設定が可能な状態になった旨の通知を行う。
なお、排他レベル設定部３１３の動作が、第１実施例の排他レベル設定部３０４とは異なっている。
【００５３】
上述した構成の作用について説明する。
プリンタ１０３が行う受信データの処理を図１５の第２の実施例における受信データ処理の流れを示すフローチャートの図中Ｓで表すステップにしたがって図１４を参照しながら説明する。
Ｓ４０１：受信部３０２は、ネットワーク１００を介してＰＣ１０１からデータを受信する。
Ｓ４０２：受信部３０２は、受信したデータが検索パケットであると判定した場合は処理をＳ４０３へ移行し、それ以外の送信データであると判定した場合は処理をＳ４０６へ移行する。
【００５４】
Ｓ４０３：検索パケット解析部３０３は、Ｓ４０１で受信した検索パケットを解析し、パケットの送信元ＩＰアドレスおよびその他の情報を取得し、処理をＳ４０４へ移行する。Ｓ１０３で説明したように、ＰＣ１０１から送信された検索パケットには排他レベルを示す情報が含まれており、検索パケット解析部３０３は検索パケットを解析し、パケットに含まれる排他レベルをその他の情報として取得する。
Ｓ４０４：排他レベル設定部３１３は、Ｓ４０３で検索パケットから取得された排他レベルを示す情報より排他レベル設定処理を行い、排他レベルの設定に成功したか否かを検索レスポンス送信部３０６に通知する。なお、排他レベル設定処理の詳細は後述する。
【００５５】
Ｓ４０５：検索レスポンス送信部３０６は、Ｓ４０３で検索パケットから取得した送信元ＩＰアドレス宛に検索レスポンスを送信し、本処理を終了する。検索レスポンスには、装置名などの装置情報の他、排他レベル設定部３１３から通知された、排他レベル設定処理の成功または失敗を示す情報を付加する。
Ｓ４０６：Ｓ４０１で受信したデータが検索パケットではないと判定した排他レベル設定部３１３は、受信したデータが排他レベル設定要求であると判定すると処理をＳ４０７へ移行し、その他の送信データであると判定すると処理をＳ４１０へ移行する。
【００５６】
Ｓ４０７：排他レベル設定部３１３は、受信した排他レベル設定要求で指定された排他レベルに装置を設定する処理を行う。排他レベル０への設定、すなわち排他レベルの設定解除が指示されている場合は、このステップにおいて排他レベルの設定は解除される。具体的には、排他レベル情報記憶部３０５に情報が記憶されていない状態にする。なお、排他レベル設定処理の詳細は後述する。
Ｓ４０８：排他レベル設定部３１３は、Ｓ４０７において排他レベルの設定解除が行われたか否かを判定し、排他レベルの設定解除が行われたと判定すると処理をＳ４０９へ移行し、設定解除が行われていないと判定すると本処理を終了する。
【００５７】
Ｓ４０９：通知送信部３１１は、端末情報記憶部３１０に情報が記憶されていない状態でなければ、その中に格納されている端末のＩＰアドレスを先頭から順番に取り出して、排他レベルの設定が可能になったことの通知を当該ＩＰアドレス宛に送信する処理を行う。通知送信部３１１は、通知を送信した後、端末情報記憶部３１０に情報が記憶されていない状態にし、本処理を終了する。
【００５８】
Ｓ４１０：Ｓ４０１で受信したデータが、検索パケットおよび排他レベル設定要求以外の送信データであると判定した排他制御部３０７は、現在装置に設定されている排他レベルでの処理が許可された送信データであるか否かを、排他レベル定義記憶部３０１を参照して判定し、許可されている場合は処理をＳ４１１へ移行し、許可されていなければ本処理を終了する。なお、排他レベル情報記憶部３０５に情報が記憶されていない場合は、すべての種類の送信データの処理が許可されているとし、処理をＳ４１１へ移行する。
Ｓ４１１：データ処理部３０８は、Ｓ４０１で受信したデータの処理を実行する。受信したデータが印刷ジョブである場合は、印刷部３０９に渡して印刷を実行し、本処理を終了する。
【００５９】
次に、図１５のＳ４０４およびＳ４０７において排他レベル設定部３１３が行う排他レベル設定処理を図１６の第２の実施例における排他レベル設定処理の流れを示すフローチャートの図中Ｓで表すステップにしたがって図１４を参照しながら説明する。
Ｓ５０１：排他レベル設定部３１３は、装置の状態がビジーであるか否かを判定する。排他レベル設定部３１３は、印刷ジョブを処理中である場合や、紙詰まり等のアラート状態である場合は、ビジーであると判定し、ビジーでないと判定すると処理をＳ５０２へ移行し、ビジーであると判定すると処理をＳ５０７へ移行する。
【００６０】
Ｓ５０２：装置の状態がビジーでないと判定した排他レベル設定部３１３は、排他レベル情報記憶部３０５に情報が記憶されていないか判定し、排他レベル情報記憶部３０５に情報が記憶されていない状態であれば処理をＳ５０３へ移行し、情報が記憶されている状態であれば処理をＳ５０５へ移行する。
Ｓ５０３：排他レベル設定部３１３は、指定された排他レベルのレベル値と、排他レベル設定要求の送信元ＩＰアドレスとを、排他レベル情報記憶部３０５に格納し、処理をＳ５０４へ移行する。また、指定された排他レベルのレベル値が０、すなわち排他レベルの設定解除が要求されている場合は、排他レベル設定部３１３は、排他レベル情報記憶部３０５に情報が記憶されていない状態にする。
【００６１】
Ｓ５０４：排他レベル設定部３１３は、排他レベルの設定に成功したことを検索レスポンス送信部３０６に通知し、本処理を終了する。
Ｓ５０５：排他レベル設定部３１３は、排他レベル設定要求の送信元ＩＰアドレスが、排他レベル情報記憶部３０５に格納されている送信元ＩＰアドレスと等しいか否か判定し、排他レベル設定要求の送信元ＩＰアドレスが、排他レベル情報記憶部３０５に格納されている送信元ＩＰアドレスと等しいと判定すると処理をＳ５０３へ移行し、等しくないと判定すると処理をＳ５０６へ移行する。
【００６２】
Ｓ５０６：排他レベル設定部３１３は、排他レベルの設定に失敗したことを検索レスポンス送信部３０６に通知する。
Ｓ５０７：排他レベル設定部３１３は、排他レベル設定要求の送信元ＩＰアドレスを端末情報記憶部３１０に格納する。既に他の送信元ＩＰアドレスが格納されている場合は、排他レベル設定部３１３は、末尾に追加して格納し、本処理を終了する。
【００６３】
次に、プリンタ１０３の装置状態監視部３１２が行うビジー復帰検出後の排他レベル設定可能通知処理を図１７の第２の実施例におけるビジー復帰検出後の排他レベル設定可能通知処理の流れを示すフローチャートの図中Ｓで表すステップにしたがって図１４を参照しながら説明する。
装置状態監視部３１２は、プリンタ１０３の装置状態を監視し、一旦ビジー状態に入った後にビジー状態から復帰したことを検出したとき、ビジー復帰検出後の排他レベル設定可能通知処理を行う。
【００６４】
Ｓ６０１：装置状態監視部３１２は、排他レベル情報記憶部３０５に情報が記憶されていない状態であれば処理をＳ６０２へ移行し、情報が記憶されている状態であれば本処理を終了する。
Ｓ６０２：装置状態監視部３１２の指示により通知送信部３１１は、端末情報記憶部３１０に情報が記憶されていない状態でなければ、その中に格納されている端末のＩＰアドレスを先頭から順番に取り出して、排他レベルの設定が可能になったことの通知を当該ＩＰアドレス宛に送信する処理を行う。通知送信部３１１は、通知を送信後、端末情報記憶部３１０に情報が記憶されていない状態にし、本処理を終了する。
【００６５】
以上説明したように、第２の実施例では、第１の実施例の効果に加え、装置検索パケットを送信してプリンタに排他レベルを設定する操作に失敗したＰＣは、排他レベルの設定が解除された時点でプリンタから通知を受信することができるので、ネットワーク接続されたデバイスのリモート保守の利便性をさらに高めることができるという効果が得られる。
なお、第１の実施例および第２の実施例では、管理対象装置をプリンタとして説明したが、それに限られることなく、その他の装置であってもよい。
また、図８、図９、図１０、図１１に例示した操作画面において、画面操作が何も行われないまま所定時間が経過した場合は、図２に示す排他レベル設定要求部２１０により排他レベル設定解除要求を送信する構成としても良い。
【符号の説明】
【００６６】
１００    ネットワーク
１０１    ＰＣ
１０２、１０３    プリンタ
２０１    排他レベルデータ記憶部
２０２    データ送信指定部
２０３    排他レベル特定部
２０４    検索パケット送信部
２０５    検索レスポンス受信部
２０６    検索結果記憶部
２０７    検索結果表示部
２０８    装置選択部
２０９    データ送信部
３０１    排他レベル定義記憶部
３０２    受信部
３０３    検索パケット解析部
３０４、３１３    排他レベル設定部
３０５    排他レベル情報記憶部
３０６    検索レスポンス送信部
３０７    排他制御部
３０８    データ処理部
３０９    印刷部
３１０    端末情報記憶部
３１１    通知送信部
３１２    装置状態監視部
【図１】
2014063433.tif 000003
【図２】
2014063433.tif 000004
【図３】
2014063433.tif 000005
【図４】
2014063433.tif 000006
【図５】
2014063433.tif 000007
【図６】
2014063433.tif 000008
【図７】
2014063433.tif 000009
【図８】
2014063433.tif 000010
【図９】
2014063433.tif 000011
【図１０】
2014063433.tif 000012
【図１１】
2014063433.tif 000013
【図１２】
2014063433.tif 000014
【図１３】
2014063433.tif 000015
【図１４】
2014063433.tif 000016
【図１５】
2014063433.tif 000017
【図１６】
2014063433.tif 000018
【図１７】
2014063433.tif 000019